Podtech/llm-jp-corpus-v4-ja_patent huggingface dataset:
【手続補正書】
【提出日】平成28年6月10日(2016.6.10)
【手続補正１】
【補正対象書類名】特許請求の範囲
【補正対象項目名】全文
【補正方法】変更
【補正の内容】
【特許請求の範囲】
【請求項１】
ライナーベースのシステムであって、
前記ライナーベースのシステムは、
オーバーパックと、
前記オーバーパック内に提供されたライナーであって、前記ライナーは、口部と、前記ライナーの内部空洞を画定するライナー壁とを備え、前記ライナーは、非傾斜部分によって分離されている、上部部分および底部部分を含み、前記ライナーは、前記ライナーの非傾斜部分の円周に沿っている、複数の垂直に配置された溝および複数の水平に配置された溝を画定する、ライナーと
を備える、ライナーベースのシステム。
【請求項２】
前記オーバーパックは、非傾斜部分によって分離されている、上部部分および底部部分を含み、前記オーバーパックは、前記オーバーパックの非傾斜部分の円周に沿っている、複数の垂直に配置された溝および複数の水平に配置された溝を画定し、前記オーバーパックの複数の垂直に配置された溝は、前記ライナーの複数の垂直に配置された溝と同延であり、前記オーバーパックの複数の水平に配置された溝は、前記ライナーの複数の水平に配置された溝と同延である、請求項１に記載のライナーベースのシステム。
【請求項３】
前記ライナーの複数の水平に配置された溝の各々は、前記ライナーの非傾斜部分の円周全体の周りに延在し、
前記オーバーパックの複数の水平に配置された溝の各々は、前記オーバーパックの非傾斜部分の円周全体の周りに延在する、請求項２に記載のライナーベースのシステム。
【請求項４】
前記ライナーの複数の垂直に配置された溝の各々と、前記ライナーの複数の水平に配置された溝の各々とは、前記ライナーの非傾斜部分上の突起を画定し、
前記オーバーパックの複数の垂直に配置された溝の各々と、前記オーバーパックの複数の水平に配置された溝の各々とは、前記オーバーパックの非傾斜部分上の突起を画定する、請求項２に記載のライナーベースのシステム。
【請求項５】
前記ライナーの複数の垂直に配置された溝の各々と、前記ライナーの複数の水平に配置された溝の各々とは、前記ライナーの非傾斜部分上のくぼみを画定し、
前記オーバーパックの複数の垂直に配置された溝の各々と、前記オーバーパックの複数の水平に配置された溝の各々とは、前記オーバーパックの非傾斜部分上のくぼみを画定する、請求項２に記載のライナーベースのシステム。
【請求項６】
前記ライナーの複数の垂直に配置された溝は、前記オーバーパックの複数の垂直に配置された溝より浅く、
前記ライナーの複数の水平に配置された溝は、前記オーバーパックの複数の水平に配置された溝より浅い、請求項２に記載のライナーベースのシステム。
【請求項７】
前記ライナーの複数の垂直に配置された溝と、前記ライナーの複数の水平に配置された溝とは、長方形パネルの外形を描き、
前記オーバーパックの複数の垂直に配置された溝と、前記オーバーパックの複数の水平に配置された溝とは、長方形パネルの外形を描く、請求項２に記載のライナーベースのシステム。
【請求項８】
前記ライナーの複数の長方形形状パネルの各々と、前記オーバーパックの複数の長方形形状表面特徴の各々とは、くぼみおよび突出のうちの１つである、請求項７に記載のライナーベースのシステム。
【請求項９】
前記ライナーの複数の長方形形状パネルの各々は、前記オーバーパックの複数の長方形形状パネルより浅い、請求項８に記載のライナーベースのシステム。
【請求項１０】
前記ライナーの長方形形状パネルは、前記ライナーの非傾斜高さと等しい高さを画定する、請求項７に記載のライナーベースのシステム。
【請求項１１】
前記ライナー壁は、０．０５ｍｍ〜３ｍｍの範囲内の厚さを有する、請求項１に記載のライナーベースのシステム。
【請求項１２】
前記ライナー壁は、０．１ｍｍ〜１ｍｍの範囲内の厚さを有する、請求項１１に記載のライナーベースのシステム。
【請求項１３】
前記ライナー壁は、０．１５ｍｍ〜０．６ｍｍの範囲内の厚さを有する、請求項１２に記載のライナーベースのシステム。
【請求項１４】
前記ライナーは、ポリエチレン、ポリエチレンナフタレート、およびフッ素ポリマーからなる群から選択される材料を備える、請求項１１に記載のライナーベースのシステム。
【請求項１５】
前記ライナーは、ポリエチレンナフタレートを備える、請求項１４に記載のライナーベースのシステム。
【手続補正書】
【提出日】平成27年11月9日(2015.11.9)
【手続補正１】
【補正対象書類名】特許請求の範囲
【補正対象項目名】全文
【補正方法】変更
【補正の内容】
【特許請求の範囲】
【請求項１】
外周面に複数の図柄が配列された複数のリールと、
前記複数のリールの回転操作と停止操作とを少なくとも含む、遊技者からの操作を受け付ける操作手段と、
前記操作手段に対する前記回転操作を契機に内部抽選を行う内部抽選手段と、
前記操作手段に対する前記回転操作を契機に前記複数のリールを回転させ、前記操作手段に対する前記停止操作を契機に、前記内部抽選手段による抽選結果に応じた態様で回転中のリールを停止させるリール制御手段と、
前記リール制御手段による全てのリールの停止後、所定の図柄組合せが有効ラインに表示されているか否かを判定する入賞判定手段と、
前記内部抽選手段による抽選結果に応じて、遊技状態を変更する遊技状態変更抽選を行う遊技状態変更制御手段と、
特定の契機に応じて既定されたポイントの取得を遊技者に通知し、ポイントに基づいて前記遊技状態変更抽選の抽選確率を補正する、ポイント処理手段と、
を備えることを特徴とする遊技機。
【手続補正書】
【提出日】平成28年6月24日(2016.6.24)
【手続補正１】
【補正対象書類名】特許請求の範囲
【補正対象項目名】全文
【補正方法】変更
【補正の内容】
【特許請求の範囲】
【請求項１】
被検体の画像を撮像する磁気共鳴イメージング(以下、MRIと称す)装置であって、
前記被検体の観測を行い、観測データを出力する観測部と、
前記観測部からの前記観測データから画像を再構成する再構成部とを備え、
前記観測部は、
疎な観測を行う観測パターンに基づき前記観測データを取得し、
前記再構成部は、
前記観測データに対し、前記観測パターンに基づいた画像補正処理を行い、
前記観測データはK空間のデータであり、
前記観測部の前記観測パターンは、平行線状であり、
前記再構成部の前記画像補正処理には、水平エッジ平滑化処理が含まれる、
ことを特徴とするMRI装置。
【請求項２】
被検体の画像を撮像するMRI装置であって、
前記被検体の観測を行い、観測データを出力する観測部と、
前記観測部からの前記観測データから画像を再構成する再構成部とを備え、
前記観測部は、
疎な観測を行う観測パターンに基づき前記観測データを取得し、
前記再構成部は、
前記観測データに対し、前記観測パターンに基づいた画像補正処理を行い、
前記観測データはK空間のデータであり、
前記観測部の前記観測パターンは、放射状もしくはランダム状であり、
前記再構成部の前記画像補正処理には、平滑化処理が含まれる、
ことを特徴とするMRI装置。
【請求項３】
被検体の画像を撮像するMRI装置であって、
前記被検体の観測を行い、観測データを出力する観測部と、
前記観測部からの前記観測データから画像を再構成する再構成部とを備え、
前記観測部は、
疎な観測を行う観測パターンに基づき前記観測データを取得し、
前記再構成部は、
前記観測データに対し、前記観測パターンに基づいた画像補正処理を行い、
前記観測データはK空間のデータであり、
前記観測部は、
前記K空間の高周波成分の観測において、前記K空間の原点に対して点対称な２点のうちいずれか一方を観測した場合、他方の観測は行わない、
ことを特徴とするMRI装置。
【請求項４】
請求項１または２記載のMRI装置であって、
前記観測部は、
前記K空間の高周波成分の観測において、前記K空間の原点に対して点対称な２点のうちいずれか一方を観測した場合、他方の観測は行わない、
ことを特徴とするMRI装置。
【請求項５】
請求項１乃至４のいずれか１項記載のMRI装置であって、
前記再構成部は、Split Bregman法を用いた逐次最適化を行い、その推定更新処理において、前記画像補正処理により補正された結果を用いる、
ことを特徴とするMRI装置。
【請求項６】
請求項１乃至５のいずれか１項記載のMRI装置であって、
前記再構成部は、前記画像補正処理を複数個具備する、
ことを特徴とするMRI装置。
【請求項７】
請求項３記載のMRI装置であって、
前記再構成部は、前記K空間の観測データに対し、前記観測パターンに基づいた画像補正処理を行う、
ことを特徴とするMRI装置。
【請求項８】
請求項６記載のMRI装置であって、
前記再構成部は、前記画像補正処理を複数個行う、
ことを特徴とするMRI装置。
【請求項９】
被検体の画像を撮像する画像撮像方法であって、
疎な観測を行う観測パターンに基づき前記被検体の観測データを取得し、
前記観測データから画像を再構成する際、前記観測データに対し、前記観測パターンに基づいた画像補正処理を行い、
前記観測データはMRI装置の観測部で取得されるK空間のデータであり、
前記観測パターンは、平行線状であり、
前記画像補正処理には、水平エッジ平滑化処理が含まれる、
ことを特徴とする画像撮像方法。
【請求項１０】
被検体の画像を撮像する画像撮像方法であって、
疎な観測を行う観測パターンに基づき前記被検体の観測データを取得し、
前記観測データから画像を再構成する際、前記観測データに対し、前記観測パターンに基づいた画像補正処理を行い、
前記観測データはMRI装置の観測部で取得されるK空間のデータであり、
前記観測パターンは、放射状もしくはランダム状であり、
前記画像補正処理には、平滑化処理が含まれる、
ことを特徴とする画像撮像方法。
【請求項１１】
被検体の画像を撮像する画像撮像方法であって、
疎な観測を行う観測パターンに基づき前記被検体の観測データを取得し、
前記観測データから画像を再構成する際、前記観測データに対し、前記観測パターンに基づいた画像補正処理を行い、
前記観測データはMRI装置の観測部で取得されるK空間のデータであり、
前記K空間の高周波成分の観測において、前記K空間の原点に対して点対称な２点のうちいずれか一方を観測した場合、他方の観測は行わない、
ことを特徴とする画像撮像方法。
【請求項１２】
請求項９または１０記載の画像撮像方法であって、
前記K空間の高周波成分の観測において、前記K空間の原点に対して点対称な２点のうちいずれか一方を観測した場合、他方の観測は行わない、
ことを特徴とする画像撮像方法。
【請求項１３】
被検体の画像を撮像するMRI装置であって、
前記被検体の観測を行い、観測データを出力する観測部と、
前記観測部からの前記観測データから画像を再構成する再構成部とを備え、
前記観測部は、
疎な観測を行う観測パターンに基づき前記観測データを取得し、
前記再構成部は、
前記観測部の前記観測パターンは、放射状もしくはランダム状である、
ことを特徴とするMRI装置。
【請求項１４】
被検体の画像を撮像する画像撮像方法であって、
疎な観測を行う観測パターンに基づき前記被検体の観測データを取得し、
前記観測データから画像を再構成する際、前記観測データに対し、前記観測パターンに基づいた画像補正処理を行い、
前記観測データはMRI装置の観測部で取得されるK空間のデータであり、
前記観測パターンは、放射状もしくはランダム状である、
ことを特徴とする画像撮像方法。
【手続補正２】
【補正対象書類名】明細書
【補正対象項目名】発明の名称
【補正方法】変更
【補正の内容】
【発明の名称】磁気共鳴イメージング装置、及び画像撮像方法
【手続補正書】
【提出日】平成28年10月21日(2016.10.21)
【手続補正１】
【補正対象書類名】特許請求の範囲
【補正対象項目名】全文
【補正方法】変更
【補正の内容】
【特許請求の範囲】
【請求項１】
予め定められた取得条件が成立したことに基づいて特別情報を取得する情報取得手段と、
前記情報取得手段の取得した特別情報を、複数の数として予め定められた規定数を上限として記憶する取得情報記憶手段と、
前記取得情報記憶手段に記憶されている特別情報が付与情報に対応しているか否かの付与判定を行うとともに、前記取得情報記憶手段に複数の特別情報が記憶されている場合にはそれら複数の特別情報に対して前記付与判定を順次行う付与判定手段と、
前記付与判定手段による付与判定の結果が、判定対象の特別情報が前記付与情報に対応しているとする付与対応結果となったことに基づいて遊技者に特典を付与する特典付与手段と、
表示部を有し、当該表示部にて絵柄を可変表示する絵柄表示手段と、
前記付与判定手段により前記付与判定が行われることに先立って又は前記付与判定手段により前記付与判定が行われたことに基づいて前記絵柄表示手段において絵柄の可変表示を開始させ、前記付与判定の結果に対応した停止結果を表示し前記絵柄の可変表示が終了されることを遊技回の１回として、前記取得情報記憶手段に記憶されている特別情報に応じて各遊技回の絵柄の可変表示が行われるように前記絵柄表示手段を制御する遊技回制御手段と、
前記取得情報記憶手段に記憶されている所定の特別情報が前記付与判定の対象となった場合における判定結果に対応する情報を、当該所定の特別情報が前記付与判定の対象となるよりも前のタイミングにおいて特定する先特定手段と、
前記先特定手段による特定結果が所定の特定結果であった場合に、特別報知を行う特別報知状態とする状態設定手段と、
前記特別報知状態となっている場合に、前記先特定手段の特定対象となった特別情報に係る遊技回よりも前に行われている遊技回にて特別報知を行う特別報知手段と
を備え、
前記特別報知手段は、
前記特別報知状態となっている場合に、前記所定の特定結果となった特別情報よりも後に記憶されている特別情報に基づいて当該特別報知状態を継続するか否かを判定する継続判定手段と、
前記継続判定手段により前記特別報知状態を継続する旨の判定がなされた場合に、当該特別報知状態を継続させる特別報知状態継続手段と
を有していることを特徴とする遊技機。
【請求項２】
前記状態設定手段は、前記特別報知状態の契機となった特別情報に係る遊技回に到るまで当該特別報知状態が続くようにして状態設定を行う設定手段を有し、
前記継続判定手段は、前記設定手段により設定された特別報知状態を、当該特別報知状態の契機となった特別情報に係る遊技回の終了後も継続するか否かを判定する手段を有していることを特徴とする請求項１に記載の遊技機。
【請求項３】
前記継続判定手段は、前記特別報知状態となっている状況下にて、当該特別報知状態への移行契機となった特別情報よりも後に記憶されている特別情報に係る前記先特定手段による特定結果が所定の特定結果となった場合に、当該結果に基づいて前記特別報知を継続させるか否かを判定する手段を有していることを特徴とする請求項１又は請求項２に記載の遊技機。
【請求項４】
前記特別報知手段は、
前記特別報知状態への移行に伴い特別報知の態様を決定する特別報知態様決定手段と、
前記特別報知状態への移行契機となった特別情報よりも後に記憶されている特別情報に基づいて、前記特別報知態様決定手段により決定された特別報知の態様を変更する変更手段と、
前記特別報知状態の契機となった特別情報に係る遊技回の終了後は、前記変更手段により変更された態様にて当該特別報知を行う手段と
を有していることを特徴とする請求項１乃至請求項３のいずれか１つに記載の遊技機。
【請求項５】
前記特別報知の報知態様には、遊技回の進行に応じて報知態様が変化する特殊報知態様が含まれており、
前記変更手段は、当該変更手段により変更された報知態様と前記特殊報知態様に係る変化後の特別報知の態様とが同一であると遊技者により認識されるようにして前記報知態様を変更する手段を有していることを特徴とする請求項４に記載の遊技機。
【請求項６】
前記特別報知状態へ移行した際に、当該特別報知状態の契機となった特別情報に続く特別情報が前記取得情報記憶手段に記憶されている場合には同特別報知状態への移行後の前記継続判定手段による継続判定を許容し、当該特別報知状態の契機となった特別情報に続く特別情報が前記取得情報記憶手段に記憶されていない場合には同特別報知状態への移行後の前記継続判定手段による継続判定を規制する手段を備えていることを特徴とする請求項１乃至請求項５のいずれか１つに記載の遊技機。
【手続補正書】
【提出日】平成28年1月13日(2016.1.13)
【手続補正１】
【補正対象書類名】特許請求の範囲
【補正対象項目名】全文
【補正方法】変更
【補正の内容】
【特許請求の範囲】
【請求項１】
車両における前後軸（ｘ）方向での加速度Ｇｘを取得する第１の加速度取得手段（３）と、
車両における上下軸（ｙ）方向での加速度Ｇｙを取得する第２の加速度取得手段（３）と、
車両の進行方向での加速度αを取得する第３の加速度取得手段（６）と、
前記加速度Ｇｘ、前記加速度Ｇｙ、及び前記加速度αを用いて、前記前後軸方向と、前記車両の進行方向とが成すピッチング角βを算出するピッチング角算出手段（６）と、
前記加速度Ｇｘ、前記加速度Ｇｙ、及び前記加速度αを用いて、前記上下軸方向と、鉛直方向とが成す角度γを算出する第１の角度算出手段（３、６）と、
前記ピッチング角β、及び前記角度γを用いて、路面傾斜角δを算出する第２の角度算出手段（６）と、
前記加速度Ｇｘ、及び前記加速度Ｇｙを用いて、前記前後軸方向と、水平面とが成す角度εを算出する第３の角度算出手段（３、６）と、
前記路面傾斜角δ、及び前記角度εを用いて、車両の停車中又は一定速走行中における前記ピッチング角βであるスタティック成分βSを算出する特定時ピッチング角算出手段（６）と、
を備えることを特徴とするピッチング角算出装置（１）。
【請求項２】
車両の減速時に、前記第１の角度算出手段及び前記第２の角度算出手段を用いて前記路面傾斜角δを算出及び記憶し、
前記減速の後の停車中に、前記角度ε、及び前記減速時に記憶しておいた前記路面傾斜角δに基づき、前記特定時ピッチング角算出手段を用いて、前記スタティック成分βSを算出することを特徴とする請求項１に記載のピッチング角算出装置。
【請求項３】
前記ピッチング角βのうち、車両の加減速により、時間の経過とともに変動する成分であるダイナミック成分βｄを算出するダイナミック成分算出手段と、
前記ピッチング角βから前記ダイナミック成分βｄを差し引くことで前記スタティック成分βSを算出するスタティック成分算出手段と、
を備えることを特徴とする請求項１又は２に記載のピッチング角算出装置。
【請求項４】
前記ダイナミック成分算出手段は、前記加速度αと前記ダイナミック成分βｄとの関係を規定する関数に、前記加速度αを入力することで、前記ダイナミック成分βｄを算出することを特徴とする請求項３に記載のピッチング角算出装置。
【請求項５】
前記ピッチング角βに基づき、車両における前照灯の光軸方向を調整する光軸調整手段（６）を備えることを特徴とする請求項１〜４のいずれか１項に記載のピッチング角算出装置。
【請求項６】
請求項１〜４のいずれか１項に記載のピッチング角算出装置と、
前記ピッチング角算出装置で算出した前記ピッチング角βに基づき、車両における前照灯の光軸方向を調整する光軸調整手段（６）と、
を備えることを特徴とする光軸調整装置（１）。
【手続補正２】
【補正対象書類名】明細書
【補正対象項目名】００２９
【補正方法】変更
【補正の内容】
【００２９】
ステップ９では、停車中におけるピッチング角βを以下のように算出する。まず、前後軸ｘ方向と、水平面とが成す角度εを算出する。角度εと、加速度Ｇｘ、加速度Ｇｙとの間には、式９の関係が成立するので、この式９に、前記ステップ５と同様の方法で算出した加速度Ｇｘ、加速度Ｇｙを代入すれば、角度εを算出できる。
【手続補正書】
【提出日】平成28年4月4日(2016.4.4)
【手続補正１】
【補正対象書類名】特許請求の範囲
【補正対象項目名】全文
【補正方法】変更
【補正の内容】
【特許請求の範囲】
【請求項１】
一対のエンボスロールを備え、該一対のエンボスロール間に送り込まれたシートにエンボス加工するエンボス装置であって、
前記エンボスロールの少なくとも一方は、
該エンボスロールの周面に形成された突起と、
前記突起の頂部に形成された凸所と、
を具備するエンボス装置。
【請求項２】
前記凸所は、前記エンボスロールの回転方向に沿って突条状に配置された、
請求項１に記載のエンボス装置。
【請求項３】
複数の前記凸所がそれぞれ間隔を空けて配置された、
請求項２に記載のエンボス装置。
【請求項４】
前記凸所は、前記エンボスロールの回転方向と直交して突条状に配置された、
請求項１に記載のエンボス装置。
【請求項５】
前記突起は矩形状であり、
前記凸所は、前記突起の対向する辺部のそれぞれに突条状に配置された、
請求項４に記載のエンボス装置。
【請求項６】
前記凸所は、前記突起の周縁部に周回状に配置された、
請求項１に記載のエンボス装置。
【請求項７】
前記凸所は、前記突起の頂部の周縁部に周回状に配置された、
請求項６に記載のエンボス装置。
【手続補正書】
【提出日】平成27年12月4日(2015.12.4)
【手続補正１】
【補正対象書類名】特許請求の範囲
【補正対象項目名】全文
【補正方法】変更
【補正の内容】
【特許請求の範囲】
【請求項１】
ユーザの通信端末と通信可能なサーバ通信部と、
ゲーム内における前記ユーザの仮想空間内に設置された複数のオブジェクトに関する情報と、前記ユーザに対してゲーム操作を促すための複数のアドバイス情報と、を記憶する記憶部と、
前記複数のオブジェクトそれぞれに設定された複数のパラメータに基づいて、前記複数のアドバイス情報のうち少なくとも１つのアドバイス情報を選択するアドバイス選択部と、
選択された前記少なくとも１つのアドバイス情報を前記通信端末に送信するサーバ制御部と、
を備える、サーバ装置。
【請求項２】
請求項１に記載のサーバ装置であって、
前記複数のオブジェクトそれぞれに設定された前記複数のパラメータに基づいて採点情報を作成する採点部を更に備え、
前記アドバイス選択部は、前記複数のパラメータに基づく前記採点情報に基づいて、少なくとも１つのアドバイス情報を選択する、サーバ装置。
【請求項３】
請求項２に記載のサーバ装置であって、
前記複数のオブジェクトそれぞれには、２種類以上のパラメータのうち少なくとも１種類のパラメータが設定されており、
前記採点情報は、複数の指標のスコアを含んでおり、
前記採点部は、前記２種類以上のパラメータのうち、指標ごとに異なる種類のパラメータを用いて、採点情報を生成する、サーバ装置。
【請求項４】
請求項３に記載のサーバ装置であって、
前記アドバイス選択部は、
前記採点情報に含まれる前記複数の指標のうち、最もスコアの低い指標のスコアを増加させるオブジェクトを設置するゲーム操作を促すアドバイス情報を優先的に選択する、サーバ装置。
【請求項５】
請求項１乃至４の何れか一項に記載のサーバ装置であって、
前記アドバイス選択部は、前記複数のアドバイス情報のうち、前記仮想空間に設置されていないオブジェクトを設置するゲーム操作を促すアドバイス情報を優先的に選択する、サーバ装置。
【請求項６】
ユーザの通信端末と通信可能なサーバ装置を用いたゲームの制御方法であって、
記憶部が、ゲーム内における前記ユーザの仮想空間内に設置された複数のオブジェクトに関する情報と、前記ユーザに対してゲーム操作を促すための複数のアドバイス情報と、を記憶するステップと、
アドバイス選択部が、前記複数のオブジェクトそれぞれに設定された複数のパラメータに基づいて、前記複数のアドバイス情報のうち少なくとも１つのアドバイス情報を選択するステップと、
サーバ制御部が、選択された前記少なくとも１つのアドバイス情報を前記通信端末に送信するステップと、
を含む、制御方法。
【請求項７】
ユーザの通信端末と通信可能なサーバ装置に、
ゲーム内における前記ユーザの仮想空間内に設置された複数のオブジェクトに関する情報と、前記ユーザに対してゲーム操作を促すための複数のアドバイス情報と、を記憶するステップと、
前記複数のオブジェクトそれぞれに設定された複数のパラメータに基づいて、前記複数のアドバイス情報のうち少なくとも１つのアドバイス情報を選択するステップと、
選択された前記少なくとも１つのアドバイス情報を前記通信端末に送信するステップと、
を実行させる、プログラム。
【手続補正２】
【補正対象書類名】明細書
【補正対象項目名】発明の名称
【補正方法】変更
【補正の内容】
【発明の名称】サーバ装置、制御方法、及びプログラム
【手続補正３】
【補正対象書類名】明細書
【補正対象項目名】０００１
【補正方法】変更
【補正の内容】
【０００１】
本発明は、サーバ装置、制御方法、及びプログラムに関する。
【手続補正４】
【補正対象書類名】明細書
【補正対象項目名】０００６
【補正方法】変更
【補正の内容】
【０００６】
従って、上記のような問題点に鑑みてなされた本発明の目的は、ユーザへ次の操作をアドバイスすることにより、ユーザが何をすればよいか分からない状態になることを防ぐことができるサーバ装置、制御方法、及びプログラムを提供することにある。
【手続補正５】
【補正対象書類名】明細書
【補正対象項目名】０００７
【補正方法】変更
【補正の内容】
【０００７】
上記課題を解決するために本発明に係るサーバ装置は、
ユーザの通信端末と通信可能なサーバ通信部と、
ゲーム内における前記ユーザの仮想空間内に設置された複数のオブジェクトに関する情報と、前記ユーザに対してゲーム操作を促すための複数のアドバイス情報と、を記憶する記憶部と、
前記複数のオブジェクトそれぞれに設定された複数のパラメータに基づいて、前記複数のアドバイス情報のうち少なくとも１つのアドバイス情報を選択するアドバイス選択部と、
選択された前記少なくとも１つのアドバイス情報を前記通信端末に送信するサーバ制御部と、を備える
ことを特徴とする。
また、本発明に係る制御方法は、
ユーザの通信端末と通信可能なサーバ装置を用いたゲームの制御方法であって、
記憶部が、ゲーム内における前記ユーザの仮想空間内に設置された複数のオブジェクトに関する情報と、前記ユーザに対してゲーム操作を促すための複数のアドバイス情報と、を記憶するステップと、
アドバイス選択部が、前記複数のオブジェクトそれぞれに設定された複数のパラメータに基づいて、前記複数のアドバイス情報のうち少なくとも１つのアドバイス情報を選択するステップと、
サーバ制御部が、選択された前記少なくとも１つのアドバイス情報を前記通信端末に送信するステップと、を含む
ことを特徴とする。
また、本発明に係るプログラムは、
ユーザの通信端末と通信可能なサーバ装置に、
ゲーム内における前記ユーザの仮想空間内に設置された複数のオブジェクトに関する情報と、前記ユーザに対してゲーム操作を促すための複数のアドバイス情報と、を記憶するステップと、
前記複数のオブジェクトそれぞれに設定された複数のパラメータに基づいて、前記複数のアドバイス情報のうち少なくとも１つのアドバイス情報を選択するステップと、
選択された前記少なくとも１つのアドバイス情報を前記通信端末に送信するステップと、を実行させる
ことを特徴とする。
【手続補正６】
【補正対象書類名】明細書
【補正対象項目名】０００８
【補正方法】変更
【補正の内容】
【０００８】
本発明におけるサーバ装置、制御方法、及びプログラムによれば、ユーザへ次の行動をアドバイスし、ユーザが何をすればよいか分からない状態になることを防ぐことができる。
【手続補正書】
【提出日】平成28年3月25日(2016.3.25)
【手続補正１】
【補正対象書類名】特許請求の範囲
【補正対象項目名】全文
【補正方法】変更
【補正の内容】
【特許請求の範囲】
【請求項１】
以下の成分を含む単位投薬形態の医薬組成物：
（ａ）１つまたは複数の球形の顆粒、ペレットまたはビーズを含む、実質的に水溶性、膨潤性または不溶性の物質からなる固体支持体コア；
（ｂ）バインダー、ならびに約１００μｇ〜約１０００μｇの量のアナグレリド遊離塩基に相当する量のアナグレリド塩酸塩一水和物の水和結晶形態の微粒子を含む基材層、ここで該微粒子の少なくとも９０％は、２５ミクロンまたはそれ未満であり、そして、該バインダーの存在量は、組成物の約２〜４重量％である；
（ｃ）実質的に水溶性のポリマーを含む封止コート層、ここで封止コート層の存在量は組成物の約１〜５重量％である；および、
（ｄ）不溶性ポリマーおよび可塑剤を含む放出制御成分、ここで放出制御成分の存在量は組成物の約１〜５重量％である；
ここで、該封止コートは基材層と放出制御成分の間に配置され、基材層中のアナグレリド塩酸塩一水和物と放出制御成分中の可塑剤との間の化学的相互作用を低減させる、および組成物中のアナグレリド塩酸塩一水和物は、少なくとも３ヶ月間の貯蔵安定性を有する。
【請求項２】
固体支持体コアが、約５００ミクロン〜約１０００ミクロンの範囲内の非パレイル糖球を含む、請求項１に記載の組成物。
【請求項３】
非パレイル糖球のサイズ範囲が、約７００ミクロン〜約８５０ミクロン（２０〜２５メッシュ篩）である、請求項２に記載の組成物。
【請求項４】
アナグレリド塩酸塩一水和物が、約１００μｇ、約２００μｇ、約３００μｇ、約４００μｇ、約５００μｇ、約６００μｇ、約７００μｇ、約８００μｇ、約９００μｇまたは約１０００μｇの量のアナグレリド遊離塩基に相当する量で含まれる、請求項１から３のいずれかに記載の組成物。
【請求項５】
基材層中のバインダーがヒドロキシプロピルメチルセルロースである、請求項１から４のいずれかに記載の組成物。
【請求項６】
封止コートがヒドロキシプロピルメチルセルロースを含む、請求項１から５のいずれかに記載の組成物。
【請求項７】
封止コート中のヒドロキシプロピルメチルセルロースが、組成物の約１重量％、約２重量％、約３重量％、約４重量％または約５重量％の重量で存在する、請求項６に記載の組成物。
【請求項８】
放出制御成分が、約２：１〜約１０：１の比でエチルセルロース：ヒドロキシプロピルメチルセルロースを含む、請求項１から７のいずれかに記載の組成物。
【請求項９】
制御放出層中のエチルセルロースとヒドロキシプロピルメチルセルロースの比が３：１または約３：１である、請求項８に記載の組成物。
【請求項１０】
放出制御成分中の可塑剤がクエン酸トリエチルである、請求項１から９のいずれかに記載の組成物。
【請求項１１】
放出制御成分が、２．５％、２．５５％、２．６％、２．６５％、２．７％、２．７５％、２．８％、２．８５％、２．９％、２．９５％、３．０％、３．０５％、３．１％、３．１５％、３．２％、３．２５％、３．３％、３．３５％、３．４％、３．４５％、３．５％、３．５５％、３．６％、３．６５％、３．７％、３．７５％、３．８％、３．８５％、３．９％、３．９５％または４．０％存在する、請求項１から１０のいずれかに記載の組成物。
【請求項１２】
単位投薬形態が経口投与に適するカプセル剤または錠剤である、請求項１から１１のいずれかに記載の組成物。
【請求項１３】
以下の成分を含む単位投薬形態の医薬組成物：
（ａ）複数の、約５００ミクロン〜約１０００ミクロンの範囲内の非パレイル糖球を含む、固体支持体コア；
（ｂ）ヒドロキシプロピルメチルセルロース、ならびに約１００μｇ〜約１０００μｇの量のアナグレリド遊離塩基に相当する量のアナグレリド塩酸塩一水和物の水和結晶形態の微粒子を含む基材層、ここで該微粒子の少なくとも９０％は、２５ミクロンまたはそれ未満であり、そして、該ヒドロキシプロピルメチルセルロースは、組成物の約２〜４重量％の重量で存在する；
（ｃ）組成物の約１重量％、約２重量％、約３重量％、約４重量％または約５重量％の重量で存在する、ヒドロキシプロピルメチルセルロースコートを含む封止コート層；および、
（ｄ）組成物の約１〜５重量％で存在する、約３：１の比のエチルセルロース：ヒドロキシプロピルメチルセルロースおよびクエン酸トリエチルを含む、放出制御成分；
ここで、該封止コートは基材層と放出制御成分の間に配置され、基材層中のアナグレリド塩酸塩一水和物と放出制御成分中の可塑剤との間の化学的相互作用を低減させる、および組成物中のアナグレリド塩酸塩一水和物は、少なくとも３ヶ月間の貯蔵安定性を有する。
【請求項１４】
骨髄増殖性疾患を有する対象の血小板数の低減に使用するための、請求項１から１３のいずれかに記載の組成物。
【請求項１５】
骨髄増殖性疾患が、骨髄線維症、本態性血小板血症または真性赤血球増加症である、請求項１４に記載の組成物。
【請求項１６】
１日１回または１日２回経口投与用製剤である、請求項１４または１５に記載の組成物。
【請求項１７】
・パッケージ用物質；
・該パッケージ用物質内の請求項１〜１６のいずれかに記載の組成物；および
・該組成物が、血小板媒介の疾患または障害あるいは血小板数が関与している疾患または障害の１つまたはそれ以上の症候の処置、予防または改善に使用するものであることを示すラベル；
を含んでなる製造物品。
【手続補正書】
【提出日】平成28年3月6日(2016.3.6)
【手続補正１】
【補正対象書類名】特許請求の範囲
【補正対象項目名】全文
【補正方法】変更
【補正の内容】
【特許請求の範囲】
【請求項１】
オレイン酸と、
オレイルアルコール及びイソステアリルアルコールからなる群から選ばれる１種以上の高級アルコールと、
全量に対して０〜１０体積％の界面活性剤と、
を含み、
豆乳又は卵白と、リン酸バッファと、を含む液体に接触させた場合、少なくとも２層に分離し、前記液体から前記豆乳又は前記卵白に含まれるタンパク質を前記分離した層のうちの上層に室温において抽出する液状化粧品。
【請求項２】
オクチルドデカノールと、
リモネン、スクアレン、スクアラン、及び流動パラフィンからなる群から選ばれる１種類以上の炭化水素と、
を含み、
豆乳又は卵白と、リン酸バッファと、を含む液体に請求項１に記載の液状化粧品を、室温において接触させて少なくとも２層に分離させた場合の上層の液体に接触させた場合、少なくとも２層に分離し、前記上層の液体から前記豆乳又は前記卵白に含まれるタンパク質を前記分離した層のうちの下層に室温において抽出する液状化粧品。
【請求項３】
用途が、クレンジング用である、請求項１又は請求項２に記載の液状化粧品。
【請求項４】
用途が、タンパク質洗浄用である、請求項１又は請求項２に記載の液状化粧品。
【手続補正２】
【補正対象書類名】明細書
【補正対象項目名】０００８
【補正方法】変更
【補正の内容】
【０００８】
［１］
オレイン酸と、
オレイルアルコール及びイソステアリルアルコールからなる群から選ばれる１種以上の高級アルコールと、
全量に対して０〜１０体積％の界面活性剤と、
を含み、
豆乳又は卵白と、リン酸バッファと、を含む液体に接触させた場合、少なくとも２層に分離し、前記液体から前記豆乳又は前記卵白に含まれるタンパク質を前記分離した層のうちの上層に室温において抽出する液状化粧品。
［２］
オクチルドデカノールと、
リモネン、スクアレン、スクアラン、及び流動パラフィンからなる群から選ばれる１種類以上の炭化水素と、
を含み、
豆乳又は卵白と、リン酸バッファと、を含む液体に［１］に記載の液状化粧品を、室温において接触させて少なくとも２層に分離させた場合の上層の液体に接触させた場合、少なくとも２層に分離し、前記上層の液体から前記豆乳又は前記卵白に含まれるタンパク質を前記分離した層のうちの下層に室温において抽出する液状化粧品。
［３］
用途が、クレンジング用である、［１］又は［２］に記載の液状化粧品。
［４］
用途が、タンパク質洗浄用である、［１］又は［２］に記載の液状化粧品。
【手続補正書】
【提出日】平成28年3月24日(2016.3.24)
【手続補正１】
【補正対象書類名】特許請求の範囲
【補正対象項目名】全文
【補正方法】変更
【補正の内容】
【特許請求の範囲】
【請求項１】
定着器部材であって、
基材と、
前記基材の上に配置された弾性層と、
前記弾性層の上に配置された、フルオロポリマーおよび微結晶性セルロース粒子のコンポジットを含む剥離層とを含む、定着器部材。
【請求項２】
前記微結晶性セルロース粒子が、以下の構造、
【化１】
2013222198.tif 000001
を含み、ｎが２００〜４０００である、請求項１に記載の定着器部材。
【請求項３】
前記微結晶性セルロース粒子が、前記剥離層の１重量％〜１０重量％含まれる、請求項１に記載の定着器部材。
【請求項４】
前記フルオロポリマーは、ポリテトラフルオロエチレン（ＰＴＦＥ）；ペルフルオロアルコキシポリマー樹脂（ＰＦＡ）；テトラフルオロエチレン（ＴＦＥ）とヘキサフルオロプロピレン（ＨＦＰ）とのコポリマー；ヘキサフルオロプロピレン（ＨＦＰ）とフッ化ビニリデン（ＶＤＦ）とのコポリマー；テトラフルオロエチレン（ＴＦＥ）とフッ化ビニリデン（ＶＤＦ）とヘキサフルオロプロピレン（ＨＦＰ）とのターポリマー；およびテトラフルオロエチレン（ＴＦＥ）とフッ化ビニリデン（ＶＤＦ）とヘキサフルオロプロピレン（ＨＦＰ）とキュアサイトモノマーとのテトラポリマーからなる群より選択される、請求項１に記載の定着器部材。
【請求項５】
前記剥離層がさらに、カーボンブラック、グラファイト、フラーレン、アセチレンブラック、フッ素化カーボンブラック、カーボンナノチューブ、金属酸化物、ドープされた金属酸化物、ポリアニリン、ポリチオフェン、ポリアセチレン、ポリ（ｐ−フェニレンビニレン）、ポリ（ｐ−フェニレンスルフィド）、ポリインドール、ポリピレン、ポリカルバゾール、ポリアズレン、ポリアゼピン、ポリナフタレン、有機スルホン酸塩、リン酸エステル、脂肪酸エステル、アンモニウム塩またはホスホニウム塩、およびこれらの混合物からなる群より選択されるフィラー材料を含む、請求項１に記載の定着器部材。
【請求項６】
前記フィラー材料は、合計で前記剥離層の０重量％〜１０重量％含まれる、請求項５に記載の定着器部材。
【請求項７】
ローラーを含む、請求項１に記載の定着器部材。
【請求項８】
ベルトを含む、請求項１に記載の定着器部材。
【請求項９】
定着器部材であって、
基材と、
前記基材の上に配置された弾性層と、
前記弾性層の上に配置された剥離層とを含み、前記剥離層が、ポリテトラフルオロエチレンおよびペルフルオロアルコキシポリマー樹脂からなる群から選択されるフルオロポリマーと、以下の構造、
【化２】
2013222198.tif 000002
を有し、ｎが２００〜４０００である微結晶性セルロース粒子とを含むコンポジットを含み、前記微結晶性セルロース粒子が、前記剥離層の１重量％〜１０重量％含まれる、定着器部材。
【手続補正書】
【提出日】平成28年3月28日(2016.3.28)
【手続補正１】
【補正対象書類名】特許請求の範囲
【補正対象項目名】全文
【補正方法】変更
【補正の内容】
【特許請求の範囲】
【請求項１】
基材と、
前記基材上の最外層であって、前記最外層は、フルオロポリマーマトリックス中に配置された複数のナノサイズのセルロース粒子を含み、前記複数のナノサイズのセルロース粒子のそれぞれが、ミクロフィブリル化セルロース（ＭＦＣ）粒子、ナノ結晶セルロース粒子、ＭＦＣクラスター、およびこれらの組み合わせのうちの１つ以上を含む、最外層と、を含み、
前記最外層は、約０μｍ〜約２０μｍの範囲の平均表面粗度Ｓｑ値を有する、
定着器部材。
【請求項２】
前記最外層は、約１μｍ〜約１０μｍの範囲の平均表面粗度Ｓｑ値を有する、請求項１に記載の部材。
【請求項３】
前記最外層は、約３μｍ〜約５μｍの範囲の平均表面粗度Ｓｑ値を有する、請求項２に記載の部材。
【請求項４】
前記ＭＦＣ粒子は、約１ｎｍ〜約１００ｎｍの範囲の平均直径、約１ミクロン〜約１００ミクロンの範囲の平均長、および約０．００２平方ミクロン〜約３０平方ミクロンの範囲の平均表面積を有する、請求項１に記載の部材。
【請求項５】
前記ＭＦＣ粒子が、結晶部分および非結晶部分を含み、前記結晶部分は、前記ＭＦＣ粒子に対して約６０％〜約６５％である、請求項１に記載の部材。
【請求項６】
前記ＭＦＣクラスターは、複数のＭＦＣ粒子によって形成され、そして約１０ミクロン〜約２０ミクロンの範囲の平均クラスターサイズを有する、請求項１に記載の部材。
【請求項７】
前記複数のナノサイズのセルロースのそれぞれがさらに、ナノ結晶セルロース（ＮＣＣ）粒子、ＮＣＣクラスター、ＭＦＣ−ＮＣＣクラスターおよびこれらの組み合わせのうちの１つ以上を含み、ＭＦＣ対ＮＣＣの重量比が約０．６〜約０．３の範囲にある、請求項１に記載の部材。
【請求項８】
前記複数のナノサイズのセルロース粒子は、前記最外層全体の、約１重量％〜約３０重量％の範囲の量で存在する、請求項１に記載の部材。
【請求項９】
前記フルオロポリマーマトリックスは、ポリテトラフルオロエチレン、テトラフルオロエチレンとヘキサフルオロプロピレンとのコポリマー、テトラフルオロエチレンとパーフルオロ（プロピルビニルエーテル）とのコポリマー、テトラフルオロエチレンとパーフルオロ（エチルビニルエーテル）とのコポリマー、テトラフルオロエチレンとパーフルオロ（メチルビニルエーテル）とのコポリマー、およびこれらの組み合わせからなる群より選択される、フルオロプラスチックを含む、請求項１に記載の部材。
【請求項１０】
ビニリデンフルオリド、ヘキサフルオロプロピレン、テトラフルオロエチレン、パーフルオロ（メチルビニルエーテル）、パーフルオロ（プロピルビニルエーテル）、パーフルオロ（エチルビニルエーテル）およびこれらの組み合わせからなる群より選択される硬化部位モノマーおよびモノマーリピート単位を含む、フルオロエラストマーを含む、請求項１に記載の部材。
【請求項１１】
基材と、
前記基材上の最外層であって、前記最外層は、フルオロポリマーマトリックス中に配置された複数のナノサイズのセルロース粒子を含み、これにより、前記最外層は、約５００ｐｓｉ〜約５０００ｐｓｉの範囲の引張り強度を備え、前記複数のナノサイズのセルロース粒子のそれぞれが、ナノ結晶セルロース（ＮＣＣ）粒子、ＮＣＣクラスターおよびこれらの組み合わせのうちの１つ以上を含む、最外層と、を含み、
前記最外層は、約０μｍ〜約２０μｍの範囲の平均表面粗度Ｓｑ値を有する、
定着器部材。
【請求項１２】
前記最外層は、約１２００ｐｓｉ〜約２２００ｐｓｉの範囲の引張り強度を備える、請求項１１に記載の部材。
【請求項１３】
前記最外層は、約１４００ｐｓｉ〜約１８００ｐｓｉの範囲の引張り強度を備える、請求項１２に記載の部材。
【請求項１４】
前記ＮＣＣ粒子は、約１ｎｍ〜約７０ｎｍの平均直径、約２０ｎｍ〜約３ミクロンの平均長、および約５〜約３５０の平均縦横比を有する、請求項１１に記載の部材。
【請求項１５】
前記ＮＣＣクラスターは、複数のＮＣＣ粒子によって形成され、約１０ミクロン〜約２０ミクロンの平均クラスターサイズを有する、請求項１１に記載の部材。
【請求項１６】
前記複数のナノサイズのセルロースがさらに、ミクロフィブリル化セルロース（ＭＦＣ）粒子、ＭＦＣクラスター、ＭＦＣ−ＮＣＣクラスターおよびこれらの組み合わせのうちの１つ以上を含み、ＭＦＣ対ＮＣＣの重量比が約５〜約０．１の範囲にある、請求項１１に記載の部材。
【請求項１７】
前記基材が、円筒、ロール、ドラム、ベルト、プレート、フィルム、シート、またはドレルトの形態を有し、前記基材が、金属、プラスチック、セラミックおよびこれらの組み合わせからなる群から選択される材料から形成される、請求項１１に記載の部材。
【請求項１８】
印刷における光沢レベルの改善のための定着方法であって、
最外層を含む定着器部材を提供することであって、前記最外層が、フルオロポリマーマトリックス中に配置された複数のナノサイズのセルロース粒子を含み、これにより、前記最外層が約０μｍ〜約２０μｍの範囲の平均表面祖度Ｓｑ値を有し、前記複数のナノサイズのセルロース粒子のそれぞれは、ミクロフィブリル化セルロース（ＭＦＣ）粒子、ＭＦＣクラスター、ナノ結晶セルロース（ＮＣＣ）粒子、ＮＣＣクラスター、ＭＦＣ−ＮＣＣクラスターおよびこれらの組み合わせのうちの１つ以上を含む、ことと、
前記定着器部材の前記最外層と加圧部材との間に、接触弧を形成することと、
トナー画像を含む印刷媒体を前記接触弧に通らせ、前記トナー画像を前記印刷媒体上に定着させることであって、前記最外層が前記平均表面祖度Ｓｑ値を有することにより、前記印刷媒体上に定着された前記トナー画像が、約３０ｇｇｕ〜約７０ｇｇｕの範囲の光沢レベルを有する、ことと、
を含む、定着方法。
【請求項１９】
前記印刷媒体上に定着された前記トナー画像が、約４０ｇｇｕ〜約６５ｇｇｕの範囲の光沢レベルを有する、請求項１８に記載の方法。
【請求項２０】
前記印刷媒体上に定着された前記トナー画像が、約５０ｇｇｕ〜約６０ｇｇｕの範囲の光沢レベルを有する、請求項１９に記載の方法。
【手続補正書】
【提出日】平成28年4月1日(2016.4.1)
【手続補正１】
【補正対象書類名】特許請求の範囲
【補正対象項目名】全文
【補正方法】変更
【補正の内容】
【特許請求の範囲】
【請求項１】
フッ素含有粒子、エアロゲル粒子、および正の摩擦帯電粒子を含む、コーティング組成物。
【請求項２】
請求項１に記載のコーティング組成物であって、
前記フッ素含有粒子が、ポリテトラフルオロエチレン、ペルフルオロアルコキシポリマー樹脂、テトラフルオロエチレンとヘキサフルオロプロピレンのコポリマー、ヘキサフルオロプロピレンとフッ化ビニリデンのコポリマー、テトラフルオロエチレンとフッ化ビニリデンとヘキサフルオロプロピレンのターポリマー、テトラフルオロエチレンとフッ化ビニリデンとヘキサフルオロプロピレンとキュアサイトモノマーのテトラポリマーからなる群から選択されるポリマーを含む、コーティング組成物。
【請求項３】
請求項１に記載のコーティング組成物であって、
前記正の摩擦帯電粒子が、アルミナ、シリカ、ジルコニア、およびゲルマニアからなる群から選択される材料を含む、コーティング組成物。
【請求項４】
請求項１に記載のコーティング組成物であって、
前記正の摩擦帯電粒子が、表面積が約３０ｍ2／ｇ〜約４００ｍ2／ｇのフュームドアルミナ粒子を含む、コーティング組成物。
【請求項５】
請求項１に記載のコーティング組成物であって、
前記正の摩擦帯電粒子の粒径が約５ｎｍ〜約１μｍである、コーティング組成物。
【請求項６】
請求項１に記載のコーティング組成物であって、
前記正の摩擦帯電粒子の量が、粉末中の固形分全体の約０．１重量％〜約５重量％の範囲である、コーティング組成物。
【請求項７】
請求項１に記載のコーティング組成物であって、
カーボンブラック、カーボンナノチューブ、グラファイト、グラフェン、金属酸化物、ドープされた金属酸化物、ポリアニリン、ポリチオフェン、ポリアセチレン、ポリ（ｐ−フェニレンビニレン）、ポリ（ｐ−フェニレンスルフィド）、ポリピロール、ポリインドール、ポリピレン、ポリカルバゾール、ポリアズレン、ポリアゼピン、ポリ（フルオレン）、ポリナフタレン、有機スルホン酸塩、アンモニウム塩またはホスホニウム塩、およびこれらの混合物からなる群から選択されるフィラーをさらに含む、コーティング組成物。
【請求項８】
定着器部材を製造する方法であって、
基材の上に配置された弾性層を備える定着器部材を得ることと、
フッ素含有粒子、エアロゲル粒子および正の摩擦帯電粒子の組成物を含む粉末を前記弾性層の上にスプレーコーティングし、コーティングされた層を作成することと、
前記コーティングされた層を約２６０℃〜約３８０℃の温度まで加熱し、剥離層を作成することと、
を含む、方法。
【請求項９】
請求項８に記載の方法であって、
前記フッ素含有粒子が、ポリテトラフルオロエチレン、ペルフルオロアルコキシポリマー樹脂、テトラフルオロエチレンとヘキサフルオロプロピレンのコポリマー、ヘキサフルオロプロピレンとフッ化ビニリデンのコポリマー、テトラフルオロエチレンとフッ化ビニリデンとヘキサフルオロプロピレンのターポリマー、テトラフルオロエチレンとフッ化ビニリデンとヘキサフルオロプロピレンのテトラポリマー、およびこれらの混合物からなる群から選択される材料を含む、方法。
【請求項１０】
請求項８に記載の方法であって、
前記正の摩擦帯電粒子が、アルミナ、シリカ、ジルコニア、およびゲルマニアからなる群から選択される材料を含む、方法。
【請求項１１】
請求項８に記載の方法であって、
前記正の摩擦帯電粒子がフュームドアルミナ粒子を含む、方法。
【請求項１２】
請求項１１に記載の方法であって、
前記フュームドアルミナ粒子の表面積が約３０ｍ2／ｇ〜約４００ｍ2／ｇである、方法。
【請求項１３】
請求項８に記載の方法であって、
前記正の摩擦帯電粒子の量が、前記組成物中の固形分全体の約０．１重量％〜約５重量％の範囲である、方法。
【請求項１４】
請求項８に記載の方法であって、
前記組成物が、カーボンブラック、カーボンナノチューブ、グラファイト、グラフェン、金属酸化物、ドープされた金属酸化物、ポリアニリン、ポリチオフェン、ポリアセチレン、ポリ（ｐ−フェニレンビニレン）、ポリ（ｐ−フェニレンスルフィド）、ピロール、ポリインドール、ポリピレン、ポリカルバゾール、ポリアズレン、ポリアゼピン、ポリ（フッ素）、ポリナフタレン、有機スルホン酸塩、アンモニウム塩またはホスホニウム塩、およびこれらの混合物からなる群から選択されるフィラーをさらに含む、方法。
【請求項１５】
請求項８に記載の方法であって、
前記剥離層の厚みが約５μｍ〜約２５０μｍである、方法。
【請求項１６】
請求項８に記載の方法であって、
前記正の摩擦帯電粒子の粒径が約５ｎｍ〜約１μｍである、方法。
【請求項１７】
請求項８に記載の方法であって、
前記エアロゲル粒子が、シリカ、炭素、アルミナ、チタニア、およびジルコニアからなる群から選択される材料を含む、方法。
【請求項１８】
請求項８に記載の方法であって、
前記エアロゲル粒子の表面積が約４００ｍ2／ｇ〜約１２００ｍ2／ｇである、方法。
【請求項１９】
請求項８に記載の方法であって、
前記エアロゲル粒子の粒径が約１μｍ〜約１００μｍである、方法。
【請求項２０】
基材と、
前記基材の上に配置された外側層とを備え、前記外側層が、エアロゲル粒子とフュームドアルミナ粒子が分散したフッ素含有マトリックスを含み、前記エアロゲル粒子が、約０．１重量％〜約１０重量％含まれ、前記フュームドアルミナ粒子が、前記外側層の約０．１重量％〜約５重量％含まれ、前記定着器部材は、Ｇ７５表面光沢が約５ｇｇｕ〜約７０ｇｇｕの範囲である、定着器部材。
【手続補正書】
【提出日】平成28年3月14日(2016.3.14)
【手続補正１】
【補正対象書類名】特許請求の範囲
【補正対象項目名】全文
【補正方法】変更
【補正の内容】
【特許請求の範囲】
【請求項１】
ベース部と、
前記ベース部上に配置された基板と、
前記基板の上面に配置された複数の発光素子と、
前記複数の発光素子上に配置された光学板と、
前記基板から前記光学板側に行くほど直径が増加する円筒部（３１０）が内部に配置され、前記ベース部上に配置され、前記ベース部と結合するハウジングと、
を含み、
前記円筒部は、前記基板の上面と鈍角を形成する傾斜面（３１０ａ）を含み、
前記ハウジングは、円筒形状であって、上端部と下端部を含み、
前記ハウジングの上端部の外径は、前記ハウジングの下端部の外径より大きく、
前記ハウジングは、外面を含み、
前記ハウジングは、前記外面から延びた凸部（１５０）を含む、照明装置。
【請求項２】
前記円筒部の傾斜面上に配置された反射シート（３０００）をさらに含む、請求項１に記載の照明装置。
【請求項３】
前記反射シートは、中心に円形の開口が形成された円形のベースシート（３１００）を含み、
前記ベースシートは、互いに離隔した一端と他端を含み、
前記反射シートは、前記ベースシートの他端に配置された連結シート（３５００）を含み、
前記ベースシートは、前記ベースシートの一端に形成された切込部（３１１０）を有し、
前記連結シートは、前記切込部と結合する、請求項２に記載の照明装置。
【請求項４】
前記ベースシートの他端の幅は、前記連結シートの幅より大きい、請求項３に記載の照明装置。
【請求項５】
前記連結シートは、第１連結部（３５１０）と前記第１連結部に連結された第２連結部（３５３０）を含み、
前記第２連結部は、前記第１連結部より前記ベースシートの他端にさらに近く配置された、請求項３又は４に記載の照明装置。
【請求項６】
前記第２連結部の幅は、前記第１連結部の幅より小さい、請求項５に記載の照明装置。
【請求項７】
前記切込部の切込の長さは、前記第１連結部の幅よりさらに小さい、請求項５又は６のいずれか１項に記載の照明装置。
【請求項８】
前記切込部の切込の長さは、前記第２連結部の幅と同じである、請求項５ないし７のいずれか１項に記載の照明装置。
【請求項９】
前記ベース部から上に延びた突出部（６３０）を含み、
前記ベース部は、溝（６１１）と孔（６１３）とを有する、請求項２ないし８のいずれか１項に記載の照明装置。
【請求項１０】
前記円筒部は、前記光学板をガイドするガイド部（３３０）を含み、
前記ガイド部は、前記円筒部の上端部から上に突出した、請求項２ないし９のいずれか１項に記載の照明装置。
【請求項１１】
前記基板の上面は、円形状を有し、
前記基板の上面の直径は、前記円筒部の最小直径と異なる、請求項２ないし１０のいずれか１項に記載の照明装置。
【請求項１２】
前記ハウジングは、溝（１９０）を有する、請求項２ないし１１のいずれか１項に記載の照明装置。
【請求項１３】
前記ハウジングは、孔（１７０）を有する、請求項２ないし１２のいずれか１項に記載の照明装置。
【請求項１４】
前記基板の下に配置され、回路基板を含む駆動部をさらに含み、
前記基板は、孔（４１５）を有し、
前記複数の発光素子は、前記回路基板と電気的に連結された、請求項２ないし１３のいずれか１項に記載の照明装置。
【請求項１５】
前記基板は、下面及び前記基板の上面と前記基板の下面との間に配置された外周面を含み、
前記基板の外周面は、曲面と平面を含む、請求項２ないし１４のいずれか１項に記載の照明装置。
【請求項１６】
前記ハウジングの外面は、複数のリセスを有し、
前記複数のリセスは、前記ハウジングの上端部と前記ハウジングの下端部との間に形成され、
前記複数のリセスのそれぞれは、前記ハウジングの上端部から前記ハウジングの下端部方向、又は前記ハウジングの下端部から前記ハウジングの上端部方向に所定の長さを有する、請求項２ないし１５のいずれか１項に記載の照明装置。
【請求項１７】
前記複数のリセスは、第１リセスと第２リセスとを含み、
前記第１リセスの長さは、前記第２リセスの長さと異なる、請求項１６に記載の照明装置。
【請求項１８】
前記ハウジングの外面の少なくとも一部は曲面であり、
前記曲面は、前記ハウジングの下端部と前記ハウジングの上端部との間に配置された、請求項２ないし１７のいずれか１項に記載の照明装置。